(57)【要約】【課題】書類の自動挿入装置を追加することなく、不要な書類を省スペースかつ低コストで細断できるようにする。【解決手段】書類細断モードに設定されているとき、書類トレイ４０に積載された書類は、ピックアップローラ４１、レジストローラ対４２、搬送ドラム４３、及び搬送ローラ４４により読取位置Ｂを経て、搬送ローラ対４５及び排紙ローラ対４６へ送り込まれる。排紙経路切り替え爪５７は下側に下げられているので、書類は細断部５への経路に排出され、搬送ローラ５８により書類細断部へ搬送され、細断される。このモードでは、読取位置Ｂ、Ｃにおいて書類の読取は行わない。【選択図】  図３
2005342642.tif 000002
【特許請求の範囲】
【請求項１】
書類載置部と、前記書類載置部に載置された書類を搬送する書類搬送手段と、前記書類搬送手段により搬送される書類を細断可能なシュレッダーと、前記シュレッダーにより前記書類の細断を行う細断モードを設定するためのモード設定手段とを備えたことを特徴とするシュレッダー付画像形成装置。
【請求項２】
前記書類搬送手段により搬送される書類の画像を読取可能な画像読取手段を備え、前記モード設定手段は、前記画像読取手段により前記書類の画像の読取を行い、かつ前記シュレッダーにより前記書類の細断を行わない読取モード、又は前記画像読取手段により前記書類の画像の読取を行わず、かつ前記シュレッダーにより前記書類の細断を行う細断モードを選択的に設定可能であることを特徴とする請求項１記載のシュレッダー付画像形成装置。
【請求項３】
前記シュレッダーで細断した書類の枚数をカウントするカウント手段と、そのカウント手段のカウント値が所定値に達したときに前記シュレッダーの細断刃の交換又は細断済書類の廃棄が必要であることを報知する報知手段とを備えたことを特徴とする請求項１記載のシュレッダー付画像形成装置。
【請求項４】
設定されているモードを表示するモード表示手段を備えたことを特徴とする請求項２記載のシュレッダー付画像形成装置。
【請求項５】
前記書類搬送手段の前記シュレッダーへの経路又は前記シュレッダー内で、書類が詰まったことを検出するジャム検出手段と、そのジャム検出手段の検出結果に基づいて次の書類の搬送を停止させる搬送制御手段とを備えたことを特徴とする請求項１記載のシュレッダー付画像形成装置。
【発明の詳細な説明】
【技術分野】
【０００１】
本発明は、シュレッダー付画像形成装置に関するものである。
【背景技術】
【０００２】
機密文書等の書類を細断して廃棄する場合、１枚又は複数枚の書類をシュレッダーの挿入口に手で挿入する操作を行うことが一般的である。しかし、廃棄する書類の量が多い場合、手間と時間がかかり効率が悪い。また、無理に書類を複数枚重ねて挿入すると、装置の動作が停止してしまうことがある。
【０００３】
そこで、上記の問題を解決するため、細断書類取り入れ口と細断機からなるシュレッダーにおいて、前記細断書類取り入れ口に設けられた自動挿入装置を備えた自動シュレッダーが提案されている（特許文献１参照）。
【特許文献１】特開2000-42440号公報
【発明の開示】
【発明が解決しようとする課題】
【０００４】
しかしながら、特許文献１に記載の自動シュレッダーの場合、シュレッダーに書類の自動挿入装置を追加すること及びそのためのスペースが必要であり、コストもかかる。
【０００５】
そこで、本発明は、書類の自動挿入装置の追加を不要にし、不要な書類を省スペースかつ低コストで細断できるようにすることを目的とする。
【課題を解決するための手段】
【０００６】
請求項１に係る発明は、書類載置部と、前記書類載置部に載置された書類を搬送する書類搬送手段と、前記書類搬送手段により搬送される書類を細断可能なシュレッダーと、前記シュレッダーにより前記書類の細断を行う細断モードを設定するためのモード設定手段とを備えたことを特徴とするシュレッダー付画像形成装置である。
請求項２に係る発明は、請求項１記載のシュレッダー付画像形成装置において、前記書類搬送手段により搬送される書類の画像を読取可能な画像読取手段を備え、前記モード設定手段は、前記画像読取手段により前記書類の画像の読取を行い、かつ前記シュレッダーにより前記書類の細断を行わない読取モード、又は前記画像読取手段により前記書類の画像の読取を行わず、かつ前記シュレッダーにより前記書類の細断を行う細断モードを選択的に設定可能であることを特徴とするシュレッダー付画像形成装置である。
請求項３に係る発明は、請求項１記載のシュレッダー付画像形成装置において、前記シュレッダーで細断した書類の枚数をカウントするカウント手段と、そのカウント手段のカウント値が所定値に達したときに前記シュレッダーの細断刃の交換又は細断済書類の廃棄が必要であることを報知する報知手段とを備えたことを特徴とするシュレッダー付画像形成装置である。
請求項４に係る発明は、請求項２記載のシュレッダー付画像形成装置において、設定されているモードを表示するモード表示手段を備えたことを特徴とするシュレッダー付画像形成装置である。
請求項５に係る発明は、請求項１記載のシュレッダー付画像形成装置において、前記書類搬送手段の前記シュレッダーへの経路又は前記シュレッダー内で、書類が詰まったことを検出するジャム検出手段と、そのジャム検出手段の検出結果に基づいて次の書類の搬送を停止させる搬送制御手段とを備えたことを特徴とするシュレッダー付画像形成装置である。
【発明の効果】
【０００７】
請求項１に係る発明によれば、画像形成装置が具備する書類搬送手段により不要な書類をシュレッダーまで搬送するので、書類の自動挿入装置の追加が不要であり、不要な書類を省スペースかつ低コストで細断できる。
請求項２に係る発明によれば、書類の画像の読取ができ、不要な書類を省スペースかつ低コストで細断できる。
請求項３に係る発明によれば、シュレッダーの細断刃の交換時期又は細断済書類の廃棄時期をユーザーに知らせることができる。
請求項４に係る発明によれば、設定されているモードをユーザーに知らせることができる。
請求項５に係る発明によれば、書類のジャム、或いはシュレッダーの目詰まりなどの異常による書類の搬送停止時に次の書類の搬送を停止させることができる。
【発明を実施するための最良の形態】
【０００８】
以下、本発明の実施形態について図面を参照しながら詳細に説明する。
図１は本発明の実施形態に係るデジタル複合機の全体構成を示す斜視図である。このデジタル複合機は、自動書類搬送部１と、順次その下側に設けられた画像読取部２、プロッタ部３、及び記録紙トレイ部４と、それらの側面側に設けられた書類細断部５とから構成されている。自動書類搬送部１は、書類トレイ４０上に載置された書類を１枚づつ自動的に所定の読取位置を経て、排紙トレイ４７上又は書類細断部５内へ選択的に搬送することができる。なお、以下の説明において、コピー或いはファクシミリ送信のために画像読取部２で読み取られる書類を原稿という。画像読取部２は、このデジタル複合機がコピーモード又はファクシミリモード（以下、ファクシミリをＦＡＸという）に設定されているときは、原稿上の画像を読み取り、画像信号に変換する。プロッタ部３は、コピーモードに設定されているときは、画像読取部２で読み取られた原稿の画像信号に基づいて画像形成を行い、ＦＡＸ受信時には受信したＦＡＸ信号に基づいて画像形成を行い、図示されていないコンピュータから印刷用データを受信したときは、その印刷用データに基づいて画像形成を行う。記録紙トレイ部４にはプロッタ部３で画像形成を行うための各種サイズの記録紙がセットされる。書類細断部５は、自動書類搬送部１から搬送されてくる書類を取り込むためのローラ対と、取り込んだ書類を細断するための細断手段である細断刃と、細断刃で細断された書類を廃棄するために収納する排紙トレイと、ローラ対から細断刃に至る書類搬送路の所定の位置に設けられた書類センサとを備えている。
【０００９】
図２は図１のデジタル複合機の電気的構成を示すブロック図である。このデジタル複合機は、バス２０と、それぞれがバス２０に接続された制御部２１、操作部２２、表示部２３、自動書類搬送部１、画像読取部２、画像記憶部２４、画像処理部２５、記録紙トレイ部４、プロッタ部３、書類細断部５、ネットワークインターフェース部（以下、インターフェースをＩ／Ｆという）２６、及びＦＡＸ  Ｉ／Ｆ部２７とを備えている。ネットワークＩ／Ｆ部２６はネットワーク（図示せず）を介してコンピュータ（図示せず）に接続されている。
【００１０】
制御部２１はＣＰＵ（Central Processing Unit ）、ＲＡＭ（Random Access Memory）、ＲＯＭ（Read Only Memory）等から構成され、このデジタル複合機全体の制御等を行う。操作部２２は各種操作キーを備えており、この画像形成装置に対してユーザーが各種操作指令を入力するために使用される。表示部２３はＬＣＤ（液晶表示装置）を備えており、操作部２２から入力された操作指令、及びデジタル複合機の動作状態等を表示する。画像記憶部２４は、画像読取部２で読み取られた原稿の画像データ、ＦＡＸ  Ｉ／Ｆ部２７で受信したＦＡＸデータ、ネットワークＩ／Ｆ部２６で受信したコンピュータからの印刷データを一時的に記憶する。画像処理部２５は、画像記憶部２４から読み出された画像データに対して、画像形成等のための所定の画像処理を施す。ネットワークＩ／Ｆ部２６はネットワークを介してコンピュータと各種データの送受信を行う。ＦＡＸ  Ｉ／Ｆ部２７は、公衆電話回線等（図示せず）を介してＦＡＸ装置（図示せず）とＦＡＸ通信を行う。自動書類搬送部１、画像読取部２、プロッタ部３、記録紙トレイ部４、及び書類細断部５は、制御部２１の制御により、図１を参照しながら説明した動作を実行する。また、書類細断部５は、書類を細断する毎に細断終了通知を制御部２１へ送信する。
【００１１】
図３は、本実施形態のデジタル複合機における自動書類搬送部１と画像読取部２の構成図である。
原稿台ガラス３１上に置かれた原稿は、第１ミラー３２と一体に構成された照明ランプ３により照射され、その反射光は、第１ミラー３２、並びに一体に構成された第２ミラー３４及び第３ミラー３５で走査される。その後反射光は、レンズ３６により集束され、ＣＣＤ（Charge Coupled Device ）取付部３７に取り付けられたＣＣＤ３８に照射され光電変換される。第１ミラー３２、照明ランプ３３、第２ミラー３２及び第３ミラー３５は、走行体モータ３９を駆動源として、Ａ方向（図の左右方向）に移動可能である。
【００１２】
書類トレイ４０に載置された書類は、ピックアップローラ４１、レジストローラ対４２、搬送ドラム４３、及び搬送ローラ４４により搬送ドラム４３の下面の読取位置Ｂを経て、搬送ローラ対４５及び排紙ローラ対４６へ送り込まれ、排紙トレイ４７上に排出される。ピックアップローラ４１及びレジストローラ対４２は、給紙モータ（図示せず）により駆動され、搬送ドラム４３、搬送ローラ４４、搬送ローラ対４５及び排紙ローラ対４６は、搬送モータ（図示せず）により駆動される。
【００１３】
原稿は読取位置Ｂを通過する際に、照明ランプ４８により照射され、その反射光は、第４ミラー４９、並びに一体に構成された第５ミラー５０及び第６ミラー５１で走査される。その後反射光は、レンズ３６により集束され、ＣＣＤ３８に照射され光電変換される。読取位置Ｃには密着イメージセンサ取付部５２に取り付けられた密着イメージセンサ５３が設置されている。密着イメージセンサ５３は、光源であるＬＥＤ（発光ダイオード）、レンズ及びセンサ素子（何れも図示せず）で構成されている。原稿は読取位置Ｃを通過する際に、読取位置Ｂで読み取られた面の反対側の面（裏面）を密着イメージセンサ５３内の光源により照射され、その反射光は密着イメージセンサ５３上レンズにより集束され、密着イメージセンサ５３上のセンサ素子に照射され光電変換される。密着イメージセンサ５３の書類を挟んだ対向部には白色ローラ５４が設置されていて、密着イメージセンサ５３による読取時のシェーディング補正用白色部材として使用される。
【００１４】
搬送ローラ対４５と排紙ローラ対４６との間には、エンドーサーユニット５５及びエンドーサープラテン５６が設置されている。エンドーサーユニット５５はインクを染み込ませたアルファベット文字と数字の印からなる印字部と、印字部をエンドーサープラテン方向に加圧する加圧ソレノイド（図示せず）から構成されている。原稿をエンドーサーユニット５５上に停止させ、エンドーサープラテン５６で加圧方向に固定し、エンドーサーユニット５５の印字部への加圧により、原稿面にアルファベット文字や数字を印字することができる。また、排紙ローラ対４６の書類搬送路下流側である書類排紙部には排紙経路切り替え爪５７が設けられており、その書類搬送路上流側の端を中心に下流側を上下させることにより、上側の排紙経路と下側の細断部への経路に切り替えることができ、細断部への経路では搬送ローラ５８により書類を搬送する。
【００１５】
以上の構成を有するデジタル複合機において書類トレイ４０に載置した書類を細断部５で細断するときの制御部２１の処理について、図４乃至８を参照しながら説明する。
このデジタル複合機の電源スイッチがオンになると、制御部２１は書類トレイ４０上に書類が載置されているか否かを判断する（図４のステップＳ１）。書類が載置されていると判断した場合、表示部２３で通常のコピーモード画面を表示するように制御する（ステップＳ２）。次に、操作部２２の書類細断キー（図示せず）が押されたか否かを判断する（ステップＳ３）。書類細断キーが押されたと判断した場合（ステップＳ３でYES）は、表示部２３で図５に示されている書類細断モード確認画面を表示するように制御する（ステップＳ４）。次いで、図５の画面上で"YES"キー６１が押されたか"NO"キー６２が押されたかを判断し（ステップＳ５、Ｓ６）、"YES"キー６１押されたと判断した場合は、表示部２３で図６に示されている書類細断モード画面を表示するように制御し（ステップＳ６）、"NO"キー６２が押されと判断した場合は、表示部２３で通常のコピーモード画面を表示するように制御する（ステップＳ２）。なお、図示されていないが、コピーモード画面が表示されている状態でスタートキーが押された場合はコピーを実行する。
【００１６】
表示部２３で書類細断モード画面が表示されている状態において、スタートキー６４が押されたか否かを判断し（ステップＳ８）、押されたと判断した場合には、書類細断部５から細断終了通知が来たか否かを判断する（ステップＳ９）。細断終了通知が既に来ている場合には、書類細断動作を開始する（ステップＳ１０）。スタートキー６４が押されずに、クリア／ストップキー６３又はリセットキー６５が押されたと判断した場合（ステップＳ１１でYES）は、表示部２３で通常のコピーモード画面を表示するように制御する
（ステップＳ２）。
【００１７】
書類細断動作を開始すると、書類トレイ４０に積載された書類は、ピックアップローラ４１、レジストローラ対４２、搬送ドラム４３、搬送ローラ４４により読取位置Ｂを経て、搬送ローラ対４５及び排紙ローラ対４６へ送り込まれる。排紙経路切り替え爪５７は下側に下げられているので、書類は細断部５への経路に排出される。この書類は搬送ローラ５８により書類細断部５へ搬送され、細断される。書類が書類細断部５へ搬送される前にキャンセルキー又はリセットキーが押された場合（ステップＳ１２でYES）は、書類細断動作を中止し（ステップＳ１４）、表示部２３で通常のコピーモード画面を表示するように制御する（ステップＳ２）。書類細断部５へ搬送された書類が細断され、細断終了の通知が制御部２３へ送られると、次の書類の搬送開始する。書類が書類トレイに無くなった時点で動作を終了し（ステップＳ１５でYES）、表示部２３で通常のコピーモード画面を表示するように制御する（ステップＳ２）。
【００１８】
また、本実施形態のデジタル複合機では、制御部２１は書類細断部５で細断した書類の枚数をカウントするカウンタを備えている。このカウンタの動作について図７を参照しながら説明する。
制御部２１は、デジタル複合機が書類細断モードに設定されると、内蔵する書類細断カウンタ（図示せず）をプリセットする（ステップＳ２１）。ウンタにプリセットする値は、細断刃が新品のときは"０"であり、以後は後述する不揮発性メモリに格納された値である。次いで、書類細断部５から細断終了通知を受け取る毎にカウンタの値をインクリメントしていき（ステップＳ２２、２３）、一定値になったら、細断刃の交換が必要であることを表すメッセージを表示部２３で表示する（ステップＳ２４でYES、２５）。音声メッセージを併用してもよい。カウンタの値が一定値になる前に書類細断モードが解除されたとき、或いはデジタル複合機の電源をオフにしたときは、その時のカウント値を不揮発性メモリに格納しておく。
【００１９】
なお、以上の説明は、細断刃の交換が必要である旨のメッセージを表示する場合に関するものであったが、同様にして細断済の書類の廃棄を促すメッセージを表示するように構成することもできる。
【００２０】
さらに、本実施形態のデジタル複合機では、自動書類搬送部１における細断部５への経路に書類センサ（図省せず）が配置されており、その書類センサの出力に基づいて書類ジャムを検出している。この処理について図８を用いて説明する。
制御部２１は、書類センサが書類の検出を開始した時点で内蔵するタイマーをセットする（ステップＳ３１でYES、Ｓ３２）。そして、書類センサが書類を検出している状態が一定時間以上続いた場合（ステップＳ３３、３４ともにYES）、書類ジャムと判断し、書類搬送を中止して表示部２３にジャム表示を行う（ステップＳ３５）。タイマーをセットした後、一定時間経過前に書類センサが書類を検出しなくなった場合（ステップＳ３３でNO）は、タイマーをリセットし（ステップＳ３６）、書類検知処理（ステップＳ３１）に戻る。なお、書類細断部５の細断刃の目詰まり等による書類細断部５内のジャムについても同様にして検出可能である。
【００２１】
なお、以上の実施形態では、排紙経路切り替え爪５７を切り替えることで、読取を行う書類（原稿）と細断する書類とを異なる場所へ搬送したが、共通の搬送路に細断部を配置しておき、原稿を搬送するときは細断部を動作させず、細断する書類を搬送するときは細断部を動作させるように構成してもよい。
【図面の簡単な説明】
【００２２】
【図１】本発明の実施形態に係るデジタル複合機の全体構成を示す斜視図である。
【図２】図１のデジタル複合機の電気的構成を示すブロック図である。
【図３】本実施形態のデジタル複合機における自動書類搬送部と画像読取部の構成図である。
【図４】本実施形態のデジタル複合機の書類細断時の動作を示すフローチャートである。
【図５】書類細断モード確認画面を示す図である。
【図６】書類細断モード画面を示す図である。
【図７】書類細断部の細断回数のカウント動作を示すフローチャートである。
【図８】ジャム検出処理のフローチャートである。
【符号の説明】
【００２３】
１・・・自動書類搬送部、２・・・画像読取部、５・・・書類細断部、２１・・・制御部、２２・・・操作部、２３・・・表示部、４０・・・書類載置トレイ、４７・・・書類排出トレイ、５７・・・排紙経路切り替え爪。
【図１】
2005342642.tif 000003
【図２】
2005342642.tif 000004
【図３】
2005342642.tif 000005
【図４】
2005342642.tif 000006
【図５】
2005342642.tif 000007
【図６】
2005342642.tif 000008
【図７】
2005342642.tif 000009
【図８】
2005342642.tif 000010